(57)【要約】【課題】正しい使用形態によりカフが装着される手首式血圧計、を提供する。【解決手段】手首式血圧計は、空気が供給される膨縮可能な空気袋４１を有し、被験者の手首に巻き回されることにより筒形状の形態をとるカフ３１と、空気袋４１を膨縮させるための膨縮機構部と、カフ３１が手首に巻き回わされた状態で手首の周上に配置される本体ケース２０とを備える。本体ケース２０は、膨縮機構部を収容する。本体ケース２０には、カフ３１の周方向における一端３２が固定される。本体ケース２０は、カフ３１の周方向における他端３３を係止し、カフ３１を手首に巻き回された状態に保持する係止機構部７１を有する。【選択図】図２
2011212159.tif 000002
【特許請求の範囲】
【請求項１】
流体が供給される膨縮可能な流体袋を有し、被験者の手首に巻き回されることにより筒形状の形態をとるカフと、
前記流体袋を膨縮させる膨縮機構部と、
前記膨縮機構部を収容し、前記カフが手首に巻き回わされた状態で手首の周上に配置され、前記カフの周方向における一端が固定される筐体とを備え、
前記筐体は、前記カフの周方向における他端を係止し、前記カフを手首に巻き回された状態に保持する係止機構部を有する、手首式血圧計。
【請求項２】
前記流体袋は、前記カフが手首に巻き回わされた状態で、前記筐体と手首との間に配置されない、請求項１に記載の手首式血圧計。
【請求項３】
測定された血圧値を表示する表示部をさらに備え、
前記筐体は、前記表示部が設けられる第１筐体部と、前記第１筐体部に対して前記カフの周方向にずれた位置に配置され、前記膨縮機構部を収容し、前記カフの周方向における一端が固定される第２筐体部とを有する、請求項１または２に記載の手首式血圧計。
【請求項４】
前記第１筐体部と前記第２筐体部とは、前記カフの軸方向に沿った軸を中心に互いに回動可能に連結される、請求項３に記載の手首式血圧計。
【請求項５】
前記カフの周方向において、前記第２筐体部は、前記１筐体部よりも小さい全長を有する、請求項３または４に記載の手首式血圧計。
【請求項６】
前記膨縮機構部は、前記流体袋に接続され、流体が流通する第１管路を含み、
前記第１管路は、前記カフの周方向における前記筐体の端部に開口するように設けられる、請求項１から５のいずれか１項に記載の手首式血圧計。
【請求項７】
前記筐体に収容され、前記流体袋内の圧力を検出するセンサ部をさらに備え、
前記センサ部は、前記流体袋に接続され、流体が流通する第２管路を有し、
前記第２管路は、前記カフの周方向における前記筐体の端部に開口するように設けられる、請求項１から６のいずれか１項に記載の手首式血圧計。
【請求項８】
前記筐体は、前記カフが手首に巻き回わされた状態で手首表面と向かい合う底面を有し、
前記筐体には、前記底面から距離を隔てた位置において前記筐体を貫通し、前記カフの周方向における他端が挿入される挿入孔が形成される、請求項１から７のいずれか１項に記載の手首式血圧計。
【請求項９】
前記係止機構部は、前記挿入孔に挿入された前記カフの締め付け方向の移動を許容するとともに緩み方向の移動を規制し、前記カフの周方向における他端を係止するストッパ部を含む、請求項８に記載の手首式血圧計。
【請求項１０】
前記ストッパ部は、前記カフの係止時に前記流体袋を押圧し、
前記ストッパ部による押圧によって、前記流体袋の内部が前記カフの一端側の空間と他端側の空間とに区画される、請求項９に記載の手首式血圧計。
【請求項１１】
前記係止機構部は、前記ストッパ部に連結され、前記ストッパ部による前記カフの係止を解除する解除部をさらに含む、請求項９または１０に記載の手首式血圧計。
【請求項１２】
前記筐体を手の甲側の手首の周上に配置した場合に、前記カフの周方向における一端が、被験者の親指側の前記筐体の端部に接続される、請求項８から１１のいずれか１項に記載の手首式血圧計。
【請求項１３】
前記カフは、手首に巻き回された状態で前記流体袋の外側に配置される板部材をさらに有し、
前記板部材には、前記カフの軸方向に沿って延びる複数の溝が形成される、請求項１から１２のいずれか１項に記載の手首式血圧計。
【請求項１４】
前記カフは、手首に対して、前記筐体が手の甲側の手首の周上に配置されるように装着される、請求項１から１３のいずれか１項に記載の手首式血圧計。
【発明の詳細な説明】
【技術分野】
【０００１】
この発明は、一般的には、手首式血圧計に関し、より特定的には、被験者の手首にカフを装着して血圧測定を実施する手首式血圧計に関する。
【背景技術】
【０００２】
従来の手首式血圧計に関して、たとえば、特開２００３−２４２８６号公報には、手首部に存在する筋、腱および骨の影響を受けることなく、手首部に位置する動脈を確実に圧迫することを目的とした手首式血圧計用カフが開示されている（特許文献１）。特許文献１に開示された手首式血圧計用カフは、加圧ポンプから送り出される空気が溜められるとともに、手首部の動脈を圧迫するために用いられる、第１空気袋と、第１空気袋と手首部との間に位置し、第１空気袋よりも伸縮性の高い材質からなる第２空気袋とを備える。
【先行技術文献】
【特許文献】
【０００３】
【特許文献１】特開２００３−２４２８６号公報
【発明の概要】
【発明が解決しようとする課題】
【０００４】
上述の特許文献に開示されるように、被験者の手首にカフを装着して血圧測定を実施する手首式血圧計が広く利用されている。このような手首式血圧計は、カフ内部に収容される空気袋と、その空気袋に空気を供給するためのポンプが設けられる筐体とを備える。血圧測定時、ポンプから空気袋に空気が供給されることによって、手の平側の手首内に存在する、とう骨動脈および尺骨動脈という２本の動脈を圧迫する。
【０００５】
一方、手首式血圧計は、手首周の細い人から太い人まで幅広く対応する必要があるため、手首周方向における空気袋の中心が、圧迫すべき動脈がある手の平側に配置されるのが一般的である。この場合、ポンプが設けられる筐体も手の平側に配置されたり、手の側部側に配置されたりすることになる。
【０００６】
しかしながら、手首式血圧計を初めて使用する人は、手首に装着するものとして馴染みがある腕時計と同じように、筐体を手の甲側に配置してカフを手首に装着するおそれがある。この場合、被験者の動脈が空気袋によって適切に圧迫されず、正確な血圧測定を実施することができないという問題が生じる。
【０００７】
そこでこの発明の目的は、上記の課題を解決することであり、正しい使用形態によりカフが装着される手首式血圧計を提供することである。
【課題を解決するための手段】
【０００８】
この発明に従った手首式血圧計は、被験者の手首に巻き回されることにより筒形状の形態をとるカフと、膨縮機構部と、カフが手首に巻き回わされた状態で手首の周上に配置される筐体とを備える。カフは、流体が供給される膨縮可能な流体袋を有する。膨縮機構部は、流体袋を膨縮させる。筐体は、膨縮機構部を収容する。筐体には、カフの周方向における一端が固定される。筐体は、カフの周方向における他端を係止し、カフを手首に巻き回された状態に保持する係止機構部を有する。
【０００９】
このように構成された手首式血圧計によれば、カフの周方向における一端が筐体に固定されているとともに、手首へのカフの装着時、カフの周方向における他端が筐体が有する係止機構部により係止される。このような構成において、筐体が手の甲側の手首上に配置されるカフの使用形態を想定すると、カフは、手の甲側を始点に手首の周りを周回し、再び手の甲側に向かう形態となる。これにより、被験者の手首周長が大きいか小さいかにかかわらず、カフが有する流体袋を、圧迫すべき動脈が存在する手の平側の手首上に、より確実に配置することができる。
【００１０】
結果、被験者が最も馴染みがあると考えられる手の甲側に筐体を配置するカフの使用形態をとることが可能となり、この使用形態において、被験者は、正しい使用形態によりカフを装着することができる。
【００１１】
また好ましくは、流体袋は、カフが手首に巻き回わされた状態で、筐体と手首との間に配置されない。
【００１２】
このように構成された手首式血圧計によれば、被験者の手首周長が大きいか小さいかにかかわらず、流体袋を、圧迫すべき動脈が存在する手の平側の手首上により確実に配置することができる。
【００１３】
また好ましくは、手首式血圧計は、測定された血圧値を表示する表示部をさらに備える。筐体は、表示部が設けられる第１筐体部と、第１筐体部に対してカフの周方向にずれた位置に配置される第２筐体部とを有する。第２筐体部は、膨縮機構部を収容し、カフの周方向における一端が固定される。
【００１４】
このように構成された手首式血圧計によれば、表示部が設けられた第１筐体部を手の甲側に配置するカフの使用形態により、被験者は、正しい使用形態によりカフを装着することができる。また、膨縮機構部は、第１筐体部に対してカフの周方向にずれた位置に配置された第２筐体部に設けられている。これにより、流体袋の容積を小さく設定し、膨縮機構部を小型化することが可能となる。これに伴って、筐体を薄型化することが可能となるため、被験者は、違和感なく長時間に渡ってカフを装着することができる。
【００１５】
また好ましくは、第１筐体部と第２筐体部とは、カフの軸方向に沿った軸を中心に互いに回動可能に連結される。
【００１６】
このように構成された手首式血圧計によれば、第１筐体部および第２筐体部を、手首の形状に沿わせて手首の周上に配置することができる。これにより、筐体と手首との間に隙間が生じることを抑制し、流体袋の膨張に伴う圧迫力をより確実に手首に伝えることができる。
【００１７】
また好ましくは、カフの周方向において、第２筐体部は、１筐体部よりも小さい全長を有する。
【００１８】
このように構成された手首式血圧計によれば、表示部が設けられた第１筐体部を手の甲側に配置するカフの使用形態において、第１筐体部および第２筐体部を手首の形状に沿わせて手首の周上に配置することができる。
【００１９】
また好ましくは、膨縮機構部は、流体袋に接続され、流体が流通する第１管路を含む。第１管路は、カフの周方向における筐体の端部に開口するように設けられる。また好ましくは、手首式血圧計は、筐体に収容され、流体袋内の圧力を検出するセンサ部をさらに備える。センサ部は、流体袋に接続され、流体が流通する第２管路を有する。第２管路は、カフの周方向における筐体の端部に開口するように設けられる。
【００２０】
このように構成された手首式血圧計によれば、筐体を薄型化することにより、被験者は、違和感なく長時間に渡ってカフを装着することができる。
【００２１】
また好ましくは、筐体は、カフが手首に巻き回わされた状態で手首表面と向かい合う底面を有する。筐体には、底面から距離を隔てた位置において筐体を貫通し、カフの周方向における他端が挿入される挿入孔が形成される。
【００２２】
このように構成された手首式血圧計によれば、筐体とカフの周方向における他端との干渉に起因して、カフの装着が妨げられることを回避できる。
【００２３】
また好ましくは、係止機構部は、ストッパ部を含む。ストッパ部は、挿入孔に挿入されたカフの締め付け方向の移動を許容するとともに緩み方向の移動を規制し、カフの周方向における他端を係止するように設けられる。
【００２４】
このように構成された手首式血圧計によれば、被験者は、カフを挿入孔に挿入し、その締め付け方向に引っ張るという一連の操作によって、カフの周方向における他端を筐体に対して係止させることができる。このため、カフ装着時の操作性を向上させることができる。
【００２５】
また好ましくは、ストッパ部は、カフの係止時に流体袋を押圧する。ストッパ部による押圧によって、流体袋の内部がカフの一端側の空間と他端側の空間とに区画される。
【００２６】
このように構成された手首式血圧計によれば、血圧測定時に、流体袋内部の、カフの一端側の空間にのみ流体を供給すればよくなるため、測定時間を短縮することができる。
【００２７】
また好ましくは、係止機構部は、解除部をさらに含む。解除部は、ストッパ部に連結され、ストッパ部によるカフの係止を解除するように設けられる。
【００２８】
このように構成された手首式血圧計によれば、手首に装着されたカフを取り外す際の操作性を向上させることができる。
【００２９】
また好ましくは、筐体を手の甲側の手首の周上に配置した場合に、カフの周方向における一端が、被験者の親指側の筐体の端部に接続される。
【００３０】
このように構成された手首式血圧計によれば、カフの装着時、手の甲側が上方を向くように手首を支持した場合に、カフは、体の近い側から遠い側に巻き回され、さらに、挿入孔を通されて体の近い側に向けて引っ張られる。このため、カフ装着時の操作性を向上させることができる。
【００３１】
また好ましくは、カフは、手首に巻き回された状態で流体袋の外側に配置される板部材をさらに有する。その板部材には、カフの軸方向に沿って延びる複数の溝が形成される。
【００３２】
このように構成された手首式血圧計によれば、被験者の手首周長が大きいか小さいかにかかわらず、板部材の形状を手首の形状に沿わせることができる。
【００３３】
また好ましくは、カフは、手首に対して、筐体が手の甲側の手首の周上に配置されるように装着される。
【００３４】
このように構成された手首式血圧計によれば、被験者にとって最も馴染みがあると考えられる手の甲側に筐体が配置されるため、被験者は、正しい使用形態によりカフを装着することができる。
【発明の効果】
【００３５】
以上に説明したように、この発明に従えば、正しい使用形態によりカフが装着される手首式血圧計を提供することができる。
【図面の簡単な説明】
【００３６】
【図１】この発明の実施の形態における手首式血圧計の使用形態を示す斜視図である。
【図２】図１中の矢印ＩＩに示す方向から見た手首式血圧計の使用形態を示す断面図である。
【図３】図２中の２点鎖線ＩＩＩに囲まれた範囲を示す断面図である。
【図４】図１中の手首式血圧計の構成を示す機能ブロック図である。
【図５】図１中の血圧計の血圧測定処理の流れを示すフローチャートである。
【図６】被験者の手首周が小さい場合の、比較のための手首式血圧計の使用形態を示す断面図である。
【図７】被験者の手首周が大きい場合の、比較のための手首式血圧計の使用形態を示す断面図である。
【図８】被験者の手首周が大きい場合の、図６および図７中の比較のための手首式血圧計の別の使用形態を示す断面図である。
【図９】被験者の手首周が小さい場合の、図８中の比較のための手首式血圧計の使用形態を示す断面図である。
【図１０】被験者の手首周が小さい場合の、図１中の手首式血圧計の使用形態を示す断面図である。
【図１１】被験者の手首周が大きい場合の、図１中の手首式血圧計の使用形態を示す断面図である。
【図１２】手首の周上に配置された本体ケースを示す側面図である。
【図１３】図１２中の本体ケースを示す斜視図である。
【図１４】図１３中のＸＩＶ−ＸＩＶ線上に沿った本体ケースを示す断面図である。
【図１５】比較のための本体ケースを示す断面図である。
【図１６】表示部側ケースを示す断面図である。
【図１７】カフ挿入時における、図１６中の表示部側ケースを示す断面図である。
【図１８】カフ挿入後における、図１６中の表示部側ケースを示す断面図である。
【図１９】図１８中の２点鎖線ＸＩＸに囲まれた範囲を拡大して示す断面図である。
【図２０】表示部ケースを示す外観図である。
【図２１】カフ取り外し時における、図２０中の表示部ケースを示す断面図である。
【図２２】カフ装着時、被験者の手首に巻き回されるカフの動きを示す側面図である。
【図２３】カフ装着時、被験者の手首に巻き回されるカフの動きを示す別の側面図である。
【図２４】カフ装着時、被験者の手首に巻き回されるカフの動きを示すさらに別の側面図である。
【図２５】カフに内包されるカーラを示す斜視図である。
【図２６】手首に装着される図２５中のカーラを示す側面図である。
【図２７】手首周が小さい場合および大きい場合の、カーラの変形を模式的に表わす断面図である。
【発明を実施するための形態】
【００３７】
この発明の実施の形態について、図面を参照して説明する。なお、以下で参照する図面では、同一またはそれに相当する部材には、同じ番号が付されている。
【００３８】
（実施の形態１）
図１は、この発明の実施の形態における手首式血圧計の使用形態を示す斜視図である。図２は、図１中の矢印ＩＩに示す方向から見た手首式血圧計の使用形態を示す断面図である。本実施の形態では、図１中に示す手首式血圧計１００の基本構造について説明する。
【００３９】
図１および図２を参照して、手首式血圧計１００は、その主要な構成部品として、装置本体１１０およびカフ３１を有する。血圧測定時、手首式血圧計１００は、カフ３１が被験者の手首に巻き回された状態で装着される。カフ３１は、一般的に、左手の手首に装着される。
【００４０】
装置本体１１０は、本体ケース２０および表示部２６を有する。本体ケース２０は、筐体形状を有し、装置本体１１０の外観をなす。表示部２６は、本体ケース２０の表面に設けられている。表示部２６には、血圧値の測定結果や脈拍数の測定結果などが、数値やグラフなどを用いて表示される。表示部２６としては、たとえば、液晶パネルが利用される。
【００４１】
本体ケース２０は、カフ３１と一体に設けられている。本実施の形態における手首式血圧計１００においては、カフ３１は、被験者の手首に対して、本体ケース２０が手の甲側の手首の周上に配置されるように装着される。
【００４２】
図３は、図２中の２点鎖線ＩＩＩに囲まれた範囲を示す断面図である。図１から図３を参照して、カフ３１は、手首に対する巻き付け方向を長手方向とする帯状の外形を有する。カフ３１は、被験者の手首に巻き回された状態で筒形状の形態をとる。すなわち、筒形状の形態をとるカフ３１の周方向は、被験者の手首周りの周方向と同一方向である。
【００４３】
カフ３１は、空気が供給される空気袋４１と、空気袋４１を手首に巻き付けて固定するための袋状カバー体３６とを有する。空気袋４１は、袋状カバー体３６の内部に収容されている。空気袋４１は、樹脂シートを用いて形成された袋状の部材からなる。空気袋４１の内部には、膨縮空間４５が形成されている。膨縮空間４５の圧力が、カフ圧である。膨縮空間４５は、後述する装置本体１１０の血圧測定用エア系コンポーネント１４１と、配管を介して接続されている（図４参照のこと）。
【００４４】
カフ３１は、空気袋４１を内側に向けて付勢する、板部材としてのカーラ４６をさらに有する。カーラ４６は、展開した状態において略矩形状の外形を有する。カーラ４６は、袋状カバー体３６の内部で、被験者の手首に対して空気袋４１の外側に重なって配置されている。カーラ４６は、たとえばポリプロピレン（ＰＰ）等の樹脂材料から形成されている。
【００４５】
手の平側に近い手首断面には、尺骨動脈２１２およびとう骨動脈２１４が存在する。カフ３１が被験者の手首に巻き回された状態で、空気袋４１は、手の平側の手首表面を覆うように配置される。血圧測定時、空気が供給されることによって空気袋４１が膨張し、その膨張した空気袋４１によって尺骨動脈２１２およびとう骨動脈２１４が圧迫される。
【００４６】
次に、手首式血圧計１００の主要な機能ブロックの構成について説明する。図４は、図１中の手首式血圧計の構成を示す機能ブロック図である。
【００４７】
図４を参照して、装置本体１１０には、カフ３１に内包された空気袋４１に配管を通じて空気を供給または排出するための血圧測定用エア系コンポーネント１４１が設けられている。血圧測定用エア系コンポーネント１４１は、空気袋４１内の圧力を検出する圧力検出手段である、センサ部としての圧力センサ１４２と、空気袋４１を膨縮させるための膨縮機構部１４０としてのポンプ１４３および弁１４５とから構成されている。装置本体１１０には、血圧測定用エア系コンポーネント１４１に関連して、発振回路１４７、ポンプ駆動回路１４８および弁駆動回路１４９が設けられている。
【００４８】
装置本体１１０には、各部を集中的に制御および監視するためのＣＰＵ（Central Processing Unit）１５０と、ＣＰＵ１５０に所定の動作をさせるプログラムや測定された血圧値などの各種情報を記憶するためのメモリ部１７０と、血圧測定結果を含む各種情報を表示するための表示部２６と、測定のための各種指示を入力するために操作される入力部１９０と、ＣＰＵ１５０および各機能ブロックに電力を供給するための電源部１８０とが設けられている。ＣＰＵ１５０は、血圧値を算出するための血圧値算出手段としても機能する。
【００４９】
圧力センサ１４２は、空気袋４１のカフ圧を検出し、検出した圧力に応じた信号を発振回路１４７に出力する。ポンプ１４３は、配管を通じて空気袋４１に空気を供給する。弁１４５は、空気袋４１内の圧力を維持したり、空気袋４１内の空気を排出したりする際に開閉する。発振回路１４７は、圧力センサ１４２の出力値に応じた発振周波数の信号をＣＰＵ１５０に出力する。ポンプ駆動回路１４８は、ポンプ１４３の駆動をＣＰＵ１５０から与えられる制御信号に基づいて制御する。弁駆動回路１４９は、弁１４５の開閉制御をＣＰＵ１５０から与えられる制御信号に基づいて行なう。
【００５０】
次に、手首式血圧計１００における血圧測定処理の流れについて説明する。図５は、図１中の血圧計の血圧測定処理の流れを示すフローチャートである。
【００５１】
図５中のフローチャートに従うプログラムは、図４において示したメモリ部１７０に予め記憶されており、ＣＰＵ１５０がメモリ部１７０からこのプログラムを読出して実行することにより、血圧測定処理が実施される。
【００５２】
図４および図５を参照して、被験者が入力部１９０の電源ボタンを操作して電源をオンにすると手首式血圧計１００の初期化がなされる（ステップＳ１０１）。次に、測定可能状態になると、ＣＰＵ１５０はポンプ１４３の駆動を開始し、空気袋４１のカフ圧を徐々に上昇させる（ステップＳ１０２）。
【００５３】
カフ圧が徐々に上昇する過程において、ＣＰＵ１５０が発振回路１４７から得られる発振周波数に基づき脈波情報を抽出する。そして、抽出された脈波情報により収縮期血圧値（最高血圧値）および拡張期血圧値（最低血圧値）を算出する（ステップＳ１０３）。これにより、血圧値の測定が完了される。
【００５４】
ステップＳ１０３において血圧値が算出されると、ＣＰＵ１５０は、算出された血圧値を表示部２６に表示する（ステップＳ１０４）。カフ圧が血圧測定のために必要な所定のレベルにまで達すると、ＣＰＵ１５０はポンプ１４３を停止する。次いで、閉じていた弁１４５を開いて、空気袋４１の空気を排気する（ステップＳ１０５）。その後、ＣＰＵ１５０は、被験者の電源オフの指令を待ってその動作を終了する。
【００５５】
なお、以上において説明した測定方式は、空気袋４１の加圧時に脈波を検出するいわゆる加圧測定方式に基づいたものであるが、空気袋４１の減圧時に脈波を検出するいわゆる減圧測定方式を採用することも当然に可能である。
【００５６】
次に、手首式血圧計１００の基本構造についてより詳細な説明を行なう。
図１から図４を参照して、本体ケース２０は、表示部側ケース２１およびポンプ側ケース２２が組み合わさって構成されている。表示部側ケース２１とポンプ側ケース２２とは、手首周りの周方向に並んで配置されている。本実施の形態では、カフ３１が被験者の手首に装着された状態で、表示部側ケース２１が手首周りの周方向における手の甲の中心位置に配置されている。
【００５７】
表示部側ケース２１には、表示部２６が設けられている。表示部側ケース２１には、さらに、ＣＰＵ１５０、メモリ部１７０、入力部１９０、電源部１８０、各種回路１４７〜１４９が収容されている。ポンプ側ケース２２には、血圧測定用エア系コンポーネント１４１、すなわち、ポンプ１４３、弁１４５および圧力センサ１４２が収容されている。なお、圧力センサ１４２は、表示部側ケース２１に収容されてもよい。
【００５８】
表示部側ケース２１は、主面２１ａ、底面２１ｄおよび側面２１ｂ，２１ｃを有する略直方体形状を有する。
【００５９】
カフ３１が被験者の手首に装着された状態で、主面２１ａは、手首の周上の外周側に配置される。主面２１ａには、表示部２６が設けられている。底面２１ｄは、手首の周上の内周側に配置され、主面２１ａとは反対側に面する。底面２１ｄは、手の甲側の手首表面と向かい合って配置される。側面２１ｂおよび側面２１ｃは、主面２１ａと底面２１ｄとを結ぶ方向に延在し、カフ３１の周方向に面する。側面２１ｂおよび側面２１ｃは、カフ３１の周方向において互いに反対側に面する。
【００６０】
本体ケース２０には、挿入孔２８が形成されている。挿入孔２８は、表示部側ケース２１に形成されている。挿入孔２８は、底面２１ｄから距離を隔てた位置に形成されている。挿入孔２８は、主面２１ａと底面２１ｄとの間に形成されている。挿入孔２８は、側面２１ｃと側面２１ｂとの間で表示部側ケース２１を貫通するように形成されている。カフ３１が被験者の手首に装着された状態で、挿入孔２８は、手首周りの周方向の接線方向に沿って延伸する。挿入孔２８の開口断面積は、カフ３１をその長手方向に直交する平面により切断した場合のカフ３１の断面積よりも大きくなる。
【００６１】
ポンプ側ケース２２は、主面２２ａ、底面２２ｄおよび側面２２ｂ，２２ｃを有する略直方体形状を有する。主面２２ａは、手首の周上の外周側に配置される。底面２２ｄは、手首の周上の内周側に配置され、主面２２ａとは反対側に面する。底面２２ｄは、手の甲側の手首表面と向かい合って配置される。側面２２ｂおよび側面２２ｃは、主面２２ａと底面２２ｄとを結ぶ方向に延在し、カフ３１の周方向に面する。側面２２ｂおよび側面２２ｃは、カフ３１の周方向において互いに反対側に面する。
【００６２】
表示部側ケース２１およびポンプ側ケース２２は、側面２１ｂと側面２２ｃとが互いに対向するように配置されている。表示部側ケース２１およびポンプ側ケース２２は、それぞれ、連結部９１および連結部９２を有する。連結部９１および連結部９２は、それぞれ、側面２１ｂおよび側面２２ｃに設けられている。表示部側ケース２１およびポンプ側ケース２２は、連結部９１，９２を介して互いに連結されている。
【００６３】
カフ３１は、その長手方向における両端に、一端３２および他端３３を有する。カフ３１の一端３２は、本体ケース２０に固定されている。カフ３１の一端３２は、ポンプ側ケース２２に固定されている。カフ３１の一端３２は、ポンプ側ケース２２の側面２２ｂに固定されている。
【００６４】
本体ケース２０は、係止機構部７１を有する。カフ３１は、本体ケース２０に固定された一端３２を始点に手首周りに巻き回され、その他端３３が挿入孔２８に挿入される。係止機構部７１は、その挿入孔２８に挿入されたカフ３１の他端３３を係止可能なように設けられている。係止機構部７１によってカフ３１の他端３３が本体ケース２０の表示部側ケース２１に対して係止されることにより、カフ３１は、被験者の手首に巻き回された状態に保持される。
【００６５】
このような構成においては、カフ３１が手首に巻き回わされた状態で、空気袋４１は、本体ケース２０と手首との間に配置されない。
【００６６】
なお、表示部側ケース２１およびポンプ側ケース２２の連結構造ならびに係止機構部７１の構造については、実施の形態２で詳細に説明する。
【００６７】
続いて、図１中の手首式血圧計１００の基本構造によって奏される作用、効果について説明する。
【００６８】
図６は、被験者の手首周が小さい場合の、比較のための手首式血圧計の使用形態を示す断面図である。図７は、被験者の手首周が大きい場合の、比較のための手首式血圧計の使用形態を示す断面図である。
【００６９】
図６および図７を参照して、図中には、本体ケース２０およびカフ３１を有する比較のための手首式血圧計５００が模式的に示されている。比較のための手首式血圧計５００においては、カフ３１が、本体ケース２０が親指側の手首側部に配置される使用形態により手首に装着される。カフ３１の一端３２には、面ファスナ４４が設けられている。カフ３１は、被験者の手首に巻き回され、その他端３３側の袋状カバー体３６が面ファスナ４４に接合されている。
【００７０】
図６中に示すように、被験者の手首周が小さい場合、空気袋４１は、袋状カバー体３６の内部において、手の甲側に位置する端部４２から手の平側を通り、端部４２に隣り合って位置する端部４３まで延在している。また、図７中に示すように、被験者の手首周が大きい場合、空気袋４１は、袋状カバー体３６の内部において、手の甲側に位置する端部４２から親指側の手首側部を通り、小指側の手首側部に位置する端部４３まで延在している。いずれの場合であっても、空気袋４１は、手の平側の手首表面を覆うように設けられる。
【００７１】
図８は、被験者の手首周が大きい場合の、図６および図７中の比較のための手首式血圧計の別の使用形態を示す断面図である。図８を参照して、図６および図７中の比較のための手首式血圧計５００において、本体ケース２０が手の甲側の手首表面に配置されるようにカフを装着した場合が示されている。この場合、被験者の手首周が大きいと、空気袋４１は、小指側の手首側部に位置する端部４２から手の甲側の手首表面上を通り、手の平側の手首表面上に位置する端部４２まで延びる。このように、空気袋４１の始点が手の平側から遠ざかるため、手の平側の手首表面を全体的に覆うように空気袋４１を配置することができない。空気袋４１によって手の平側の手首表面を全体的に覆うには、端部４２と、小指側の手首側部に位置する端部４３´との間で延在する空気袋４１´を設定する必要が生じる。
【００７２】
図９は、被験者の手首周が小さい場合の、図８中の比較のための手首式血圧計の使用形態を示す断面図である。図９を参照して、図中には、図８中の手首式血圧計５００において設定した空気袋４１´を手首周が小さい被験者に適用した場合が示されている。空気袋４１´は、小指側の手首側部に位置する端部４２から手首を一周、周回し、さらに、手首に巻き回された空気袋４１´の外周上に重なるように設けられる。
【００７３】
この場合、面ファスナ４４が設けられた位置で空気袋４１´が重なって配置されていることに起因して、空気袋４１´の膨張時にカフ３１の締め付けが緩むという問題が生じる。また、空気袋４１´の膨張時に、被験者による表示部２６の視認がカフ３１によって妨げられるという懸念も生じる。
【００７４】
すなわち、比較のための手首式血圧計５００を用いて、本体ケース２０が手の甲側の手首表面に配置される使用形態をとろうとしても、手首周の大きい人と小さい人との両方に対応可能なカフ３１の構造を設定することができない。
【００７５】
図１０は、被験者の手首周が小さい場合の、図１中の手首式血圧計の使用形態を示す断面図である。図１１は、被験者の手首周が大きい場合の、図１中の手首式血圧計の使用形態を示す断面図である。
【００７６】
図１０および図１１を参照して、一方、本実施の形態における手首式血圧計１００においては、カフ３１の一端３２が本体ケース２０に固定されているとともに、手首へのカフ３１の装着時、カフ３１の他端３３が本体ケース２０に設けられた係止機構部７１（図２を参照のこと）により係止される。また、空気袋４１は、カフ３１が手首に巻き回わされた状態で、本体ケース２０と手首との間に配置されない。
【００７７】
このような構成により、被験者の手首周が小さいか大きいかにかかわらず、空気袋４１によって手の平側の手首表面を全体的に覆うことが可能な手首式血圧計１００を実現することができる。また、被験者の手首周が大きい場合に手の平側の手首表面を全体的に覆うことが可能な長さに空気袋４１の全長を設定した場合であっても、被験者の手首周が小さい場合において、カフ３１による手首の締め付けが妨げられることがない手首式血圧計１００を実現することができる。
【００７８】
なお、図１中に示す手首式血圧計１００においては、測定対象として想定される最小手首周の１／４周位置（図１０中の位置Ａ）よりも基点（手の甲側の手首表面の中心位置：図１０中の位置Ｃ）側に端部４２が配置され、測定対象として想定される最大手首周の３／４周位置（図１１中の位置Ｂ）よりも基点（図１１中の位置Ｃ）側に端部４３が配置されるように、空気袋４１の全長および配置が設定されている。
【００７９】
また、図１中の手首式血圧計１００においては、カフ３１の他端３３が、本体ケース２０に形成された挿入孔２８に挿入されている。このような構成によれば、空気袋４１の膨張に伴ってカフ３１と本体ケース２０との間で干渉が生じるということがなくなる。また、カフ３１によって表示部２６の視認が遮られるということもなくなる。
【００８０】
以上に説明した、この発明の実施の形態１における手首式血圧計１００の基本構造についてまとめて説明すると、本実施の形態における手首式血圧計１００は、被験者の手首に巻き回されることにより筒形状の形態をとるカフ３１と、膨縮機構部１４０と、カフ３１が手首に巻き回わされた状態で手首の周上に配置される筐体としての本体ケース２０とを備える。カフ３１は、流体としての空気が供給される膨縮可能な流体袋としての空気袋４１を有する。膨縮機構部１４０は、空気袋４１を膨縮させる。本体ケース２０は、膨縮機構部１４０を収容する。本体ケース２０には、カフ３１の周方向における一端３２が固定される。本体ケース２０は、カフ３１の周方向における他端３３を係止し、カフ３１を手首に巻き回された状態に保持する係止機構部７１を有する。
【００８１】
このように構成された、この発明の実施の形態１における手首式血圧計１００によれば、本体ケース２０が手の甲側の手首の周上に配置されるカフ３１の使用形態をとりつつ、手首周が大きい人から小さい人まで対応が可能な手首式血圧計を実現することができる。本体ケース２０が手の甲側の手首の周上に配置されるカフ３１の使用形態によって、手首式血圧計１００を初めて使用する人であっても、カフ３１を自然と正しい位置に装着することができる。
【００８２】
（実施の形態２）
本実施の形態では、図１中に示す手首式血圧計１００の詳細構造について説明する。図１２は、手首の周上に配置された本体ケースを示す側面図である。図１３は、図１２中の本体ケースを示す斜視図である。
【００８３】
図１２および図１３を参照して、表示部側ケース２１およびポンプ側ケース２２は、それぞれ、連結部９１および連結部９２を有する。連結部９１および連結部９２は、筒形状の形態をとるカフ３１の軸方向（中心軸６１の軸線方向）に沿って延びる軸部と、この軸部をその軸周りにおいて回動自在に支持する受け部との組み合わせによって構成されている。表示部側ケース２１およびポンプ側ケース２２は、連結部９１，９２を介して、中心軸６１を中心に回動可能に連結されている。
【００８４】
このような構成によれば、被験者が手の甲側の手首表面上に本体ケース２０を配置してカフ３１を装着する際に、表示部側ケース２１およびポンプ側ケース２２が被験者の手首の形状に合わせて回動する。これにより、表示部側ケース２１およびポンプ側ケース２２を手首の形状に沿わせて手首の周上に配置することが可能となる。
【００８５】
また、カフ３１の周方向において、ポンプ側ケース２２は、表示部側ケース２１よりも小さい全長を有する（Ｌ２＜Ｌ１）。一般的に、手首の形状は、手の甲側から見てその幅方向に大きい長さを有し、厚み方向に小さい長さを有する。このため、表示部側ケース２１が手の甲側の手首表面に配置される手首式血圧計１００においては、Ｌ２＜Ｌ１の関係により、表示部側ケース２１およびポンプ側ケース２２をより手首の形状に近似させて配置することができる。
【００８６】
これにより、本体ケース２０と手首との間に隙間が生じることを抑制し、空気袋４１の膨張に伴う圧迫力をより確実に手首に伝えることができる。結果、手首式血圧計１００による血圧の測定精度を向上させることができる。
【００８７】
図１４は、図１３中のＸＩＶ−ＸＩＶ線上に沿った本体ケースを示す断面図である。図１３および図１４を参照して、ポンプ１４３および圧力センサ１４２は、ポンプ側ケース２２の内部に収容されている。
【００８８】
ポンプ１４３および圧力センサ１４２は、それぞれ、第１管路としてエア管６６および第２管路としてのエア管６７を有する。ポンプ１４３は、エア管６６を通じて空気袋４１と接続され、圧力センサ１４２は、エア管６７を通じて空気袋４１と接続されている。本実施の形態における手首式血圧計１００においては、エア管６６およびエア管６７が、ポンプ側ケース２２の側面２２ｂに開口するように設けられている。側面２２ｂは、筒形状の形態をとるカフ３１の周方向において本体ケース２０の端部に配置される側面である。
【００８９】
図１５は、比較のための本体ケースを示す断面図である。図１５を参照して、図中に示す比較のための本体ケース２０においては、エア管６６が、ポンプ側ケース２２の底面２２ｄに開口するように設けられている。カフ３１は、手首に装着された状態で、手首表面とポンプ側ケース２２との間に介挿されている。このような構成においては、手首表面からのポンプ側ケース２２の突出高さが大きくなるという問題が生じる。
【００９０】
図１３および図１４を参照して、これに対して、本実施の形態における手首式血圧計１００では、エア管６６およびエア管６７が、ポンプ側ケース２２の側面２２ｂに開口するように設けられるため、手首表面とポンプ側ケース２２との間にカフ３１を介挿させる必要がない。このため、ポンプ側ケース２２の薄型化を図ることが可能となる。この場合、たとえば、血圧値を継続的に測定するために、手首式血圧計１００がカフ３１を２４時間中、装着するような使用形態をとった場合であっても、被験者は、違和感なくカフ３１を装着し続けることができる。
【００９１】
また、本実施の形態における手首式血圧計１００においては、本体ケース２０を表示部側ケース２１およびポンプ側ケース２２からなる分割構造とするとともに、空気袋４１に空気を供給するための膨縮機構部１４０をポンプ側ケース２２の内部に収容している。このような構成によれば、本体ケース２０が手の甲側の手首表面上に配置されるにもかかわらず、ポンプ側ケース２２に収容される膨縮機構部１４０を手の平側により近い位置に配置することができる。これにより、空気袋４１の容積を小さく設定することが可能となり、これに伴って、ポンプ１４３の小型化を図ることができる。
【００９２】
図１６は、表示部側ケースを示す断面図である。図１６を参照して、表示部側ケース２１には、底面２１ｄと挿入孔２８との間に位置して収容空間７６が形成されている。収容空間７６には、後述するストッパ部７２を支持するための受け部７９が形成されている。表示部側ケース２１には、収容空間７６と挿入孔２８との間を連通させるように開口部７８が形成されている。
【００９３】
係止機構部７１は、収容空間７６に収容されている。係止機構部７１は、側面２１ｂおよび側面２１ｃのうち、カフ３１の他端３３が挿入される側である側面２１ｃに近い側に配置されている。
【００９４】
係止機構部７１は、その構成部品として、ストッパ部７２およびバネ部７３を有する。ストッパ部７２は、その構成部位として、押さえ部７２ｍおよびベース部７２ｎを有する。ベース部７２ｎは、円柱形状を有して形成されている。ベース部７２ｎは、収容空間７６に配置されている。押さえ部７２ｍは、ベース部７２ｎから開口部７８を通じて挿入孔２８に侵入するように形成されている。ベース部７２ｎは、収容空間７６において受け部７９によって支持されている。ベース部７２ｎは、押さえ部７２ｍの姿勢が変化するように、受け部７９によって回動自在に支持されている。
【００９５】
バネ部７３は、ベース部７２ｎに当接して設けられている。バネ部７３は、ベース部７２ｎに対して挿入孔２８の反対側に配置されている。バネ部７３は、挿入孔２８に近接する方向の弾性力をストッパ部７２に付与するように設けられている。バネ部７３からストッパ部７２に弾性力が付与されることにより、押さえ部７２ｍは、開口部７８から挿入孔２８内部に突出する形態により設けられている。
【００９６】
図１７は、カフ挿入時における、図１６中の表示部側ケースを示す断面図である。図１８は、カフ挿入後における、図１６中の表示部側ケースを示す断面図である。
【００９７】
図１７を参照して、被験者がカフ３１を手首に装着する場合、カフ３１の他端３３が、挿入孔２８に挿入される。このとき、押さえ部７２ｍは、カフ３１によりその締め付け方向に押されることによって姿勢を変化させる。これに伴って、押さえ部７２ｍによって縮小された挿入孔２８の開口断面積が拡張し、カフ３１は、その締め付け方向にスライド移動可能となる。図１８を参照して、カフ３１が被験者の手首に巻き回され、スライド移動が停止されると、バネ部７３の弾性力によって、押さえ部７２ｍは、挿入孔２８の開口断面積を縮小させる元の姿勢に戻る。これにより、カフ３１は、押さえ部７２ｍによる押圧によって挿入孔２８内部に係止され、カフ３１が被験者の手首に巻き回された状態に保持される。
【００９８】
以上に説明した構造により、係止機構部７１は、挿入孔２８に挿入されたカフ３１の締め付け方向の移動を許容するとともに緩み方向の移動を規制し、カフ３１の他端３３を係止可能なように設けられている。これにより、被験者は、カフ３１を挿入孔２８に挿入し、その締め付け方向にスライド移動させるという一連の操作によって、カフ３１を手首に装着することができる。
【００９９】
なお、係止機構部７１の構造は、図中に示す構造に限られず、たとえば、一般的なワンウェイクラッチを用いた構造であってもよい。
【０１００】
図１９は、図１８中の２点鎖線ＸＩＸに囲まれた範囲を拡大して示す断面図である。図１８および図１９を参照して、押さえ部７２ｍは、挿入孔２８の幅方向（図１８を示す紙面の奥行き方向）において、空気袋４１以上の長さを有して形成されている。カフ３１が押さえ部７２ｍによって押圧されることにより、カフ３１の内部では、空気袋４１内の膨縮空間４５が、カフ３１の一端３２側の空間４５ｐと、カフ３１の他端３３側の空間４５ｑとに区画される。
【０１０１】
このような構成によれば、血圧測定時、空間４５ｑ側への空気の流入が規制されるため、空間４５ｐへのみ空気を供給すればよい。これにより、血圧測定に要する時間を短縮することができる。特に本実施の形態においては、係止機構部７１が側面２１ｂおよび側面２１ｃのうち側面２１ｃに近い側に配置されている。カフ３１が挿入孔２８に挿入された状態において、側面２１ｃはカフ３１の一端３２側に位置するため、上記効果をより有効に奏することができる。
【０１０２】
図２０は、表示部ケースを示す外観図である。図２１は、カフ取り外し時における、図２０中の表示部ケースを示す断面図である。
【０１０３】
図２０および図２１を参照して、本実施の形態における手首式血圧計１００においては、係止機構部７１が、解除部８１をさらに有する。解除部８１は、その構成部位として、操作部８１ｘおよび移動部８１ｙを有する。操作部８１ｘは、被験者による操作が可能なように、表示部側ケース２１の外側に露出して設けられている。操作部８１ｘは、図２０中に示す表示部側ケース２１の反対側の側面にも設けられている。移動部８１ｙは、収容空間７６に配置されている。移動部８１ｙは、ストッパ部７２に連結されている。より具体的には、移動部８１ｙは、挿入孔２８とベース部７２ｎとの間でベース部７２ｎに当接するように設けられている。
【０１０４】
被験者による操作部８１ｘの操作により、移動部８１ｙが挿入孔２８から遠ざかる方向に移動する。これにより、ストッパ部７２がバネ部７３の弾性力に抗して、収容空間７６内に押し込められる。結果、押さえ部７２ｍによるカフ３１の押圧が解除され、カフ３１が挿入孔２８から引き出し可能となる。このような構成によれば、血圧測定時の緊急時においても、被験者は、即時にカフ３１による手首の拘束を解くことができる。
【０１０５】
図２２から図２４は、カフ装着時、被験者の手首に巻き回されるカフの動きを示す側面図である。
【０１０６】
図２２から図２４を参照して、本実施の形態における手首式血圧計１００においては、本体ケース２０を手の甲側の手首の周上に配置した場合に、カフ３１の一端３２が、被験者の親指側の本体ケース２０の端部、すなわちポンプ側ケース２２の側面２２ｂに接続される。
【０１０７】
この場合、被験者は、カフ３１の装着時、図２２中に示すように、まず、被験者の体に近い手前側からカフ３１を遠ざけつつ、手首の周囲に巻き付けていく。そして、図２３および図２４中に示すように、カフ３１の他端３３を挿入孔２８に挿入し、カフ３１を被験者の体に近い手前側に引き寄せる。このような操作工程によれば、被験者はカフ３１を扱い易くなるため、カフ３１の装着時の操作性を向上させることができる。
【０１０８】
なお、カフ３１の他端３３に抜け止めを設け、カフ３１の他端３３が常時、挿入孔２８に挿入される構造としてもよい。この場合、被験者は、筒状のカフ３１を手首の周囲に配置したあと、カフ３１の他端３３を体の手前側に引き寄せればよい。
【０１０９】
図２５は、カフに内包されるカーラを示す斜視図である。図２６は、手首に装着される図２５中のカーラを示す側面図である。
【０１１０】
図２５および図２６を参照して、カーラ４６は、カフ３１が手首に装着された状態で、手首表面と向かい合う表面４６ｂと、表面４６ｂの裏側に配置される表面４６ａとを有する。本実施の形態における手首式血圧計１００においては、カーラ４６に複数の溝４７が形成されている。
【０１１１】
複数の溝４７は、円筒形状の形態をとるカフ３１の軸方向に沿って延びている。複数の溝４７は、表面４６ａから凹むように形成されている。表面４６ａには、溝４７と凸部４８とが、カフ３１の長手方向に繰り返し並んで形成されている。
【０１１２】
図２７は、手首周が小さい場合および大きい場合の、カーラの変形を模式的に表わす断面図である。図２７を参照して、本体ケース２０を被験者の手の甲側の手首表面に配置する場合、手首周が小さい場合と大きい場合とでは、図中に示すように、カーラ４６の曲がりが大きく異なる。この場合、カーラ４６の柔軟性が十分でなければ、手首周が小さい場合と大きい場合との双方に対応してカーラ４６を湾曲させることができない。
【０１１３】
図２５および図２６を参照して、一方、本実施の形態における手首式血圧計１００においては、カーラ４６に複数の溝４７を形成することによって、カーラ４６を手首の形状に合わせて容易に湾曲させることができる。これにより、カフ３１と手首表面との間に隙間を生じさせることなく、カフ３１を手首にフィットさせることができる。また、カフ３１の未使用時には、カフ３１を薄く折り畳むことが可能となるため、カフ３１の収納性を向上させることができる。
【０１１４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１１５】
この発明は、主に、血圧の自己管理などを目的に家庭において用いられる手首式血圧計に適用される。
【符号の説明】
【０１１６】
２０  本体ケース、２１  表示部側ケース、２１ａ，２２ａ  主面、２１ｂ，２１ｃ，２２ｂ，２２ｃ  側面、２１ｄ，２２ｄ  底面、２２  ポンプ側ケース、２６  表示部、２８  挿入孔、３１  カフ、３２  一端、３３  他端、３６  袋状カバー体、４１  空気袋、４２，４３  端部，４４  面ファスナ、４５  膨縮空間、４５ｐ，４５ｑ  空間、４６  カーラ、４６ａ，４６ｂ  表面、４７  溝、４８  凸部、６１  中心軸、６６，６７  エア管、７１  係止機構部、７２  ストッパ部、７２ｍ  押さえ部、７２ｎ  ベース部、７３  バネ部、７６  収容空間、７８  開口部、７９  受け部、８１  解除部、８１ｘ  操作部、８１ｙ  移動部、９１，９２  連結部、１００，５００  手首式血圧計、１１０  装置本体、１３４  ポンプ、１４０  膨縮機構部、１４１  血圧測定用エア系コンポーネント、１４２  圧力センサ、１４３  ポンプ、１４  弁、１４７  発振回路、１４８  ポンプ駆動回路、１４９  弁駆動回路、１７０  メモリ部、１８０  電源部、１９０  入力部、２１２  尺骨動脈、２１４  とう骨動脈。
【図１】
2011212159.tif 000003
【図２】
2011212159.tif 000004
【図３】
2011212159.tif 000005
【図４】
2011212159.tif 000006
【図５】
2011212159.tif 000007
【図６】
2011212159.tif 000008
【図７】
2011212159.tif 000009
【図８】
2011212159.tif 000010
【図９】
2011212159.tif 000011
【図１０】
2011212159.tif 000012
【図１１】
2011212159.tif 000013
【図１２】
2011212159.tif 000014
【図１３】
2011212159.tif 000015
【図１４】
2011212159.tif 000016
【図１５】
2011212159.tif 000017
【図１６】
2011212159.tif 000018
【図１７】
2011212159.tif 000019
【図１８】
2011212159.tif 000020
【図１９】
2011212159.tif 000021
【図２０】
2011212159.tif 000022
【図２１】
2011212159.tif 000023
【図２２】
2011212159.tif 000024
【図２３】
2011212159.tif 000025
【図２４】
2011212159.tif 000026
【図２５】
2011212159.tif 000027
【図２６】
2011212159.tif 000028
【図２７】
2011212159.tif 000029